(57)【要約】  【目的】  可動鉄心の長手軸心線と弁座孔の長手軸心線が交差角をもって傾斜配置された状態でも、電磁コイル、消費電流を大きく増加させることなく安定して弁座を閉塞できる電磁流体制御弁を提供する。  【構成】  固定鉄心１３に対向配置される可動鉄心１の先端部１ｘに、縮小径部１ａが形成され、縮小径部１ａの先端に平坦面１ｂを有する下方係止部１ｃが形成され、後端に傾斜面１ｄをなす上方係止部１ｅが形成される。縮小径部１ａには、下方係止部１ｃに臨んでゴム材料よりなる弁体２が挿入孔２ｃをもって軽圧縮状態で挿入配置され、又弁体２の上面２ｂ上には、縮小径部１ａにバカ孔３ａをもって平板部材３が配置され、更に平板部材３の上面３ｂ上には、上方係止部１ｅの傾斜面１ｄと同一形状の傾斜案内孔４ａをもってスライドワッシャー４が自由状態で配置される。【選択図】  図１
2007315554.tif 000002
【特許請求の範囲】
【請求項１】
周囲に電磁コイルが巻回されたコイルボビンの内方に、固定鉄心と、固定鉄心に対向する可動鉄心が配置され、可動鉄心の先端に配置される平板状の弁体が、弁本体に穿設される流路を、流入側流路と流出側流路とに区分する弁座に対向配置される電磁流体制御弁において、
可動鉄心１の先端部１ｘに、
後端Ａに臨み、平坦面１ｂをなす下方係止部１ｃと、先端Ｂに臨み、傾斜面１ｄをなす上方係止部１ｅとを備える縮小径部１ａを形成し、
前記縮小径部には、下方係止部１ｃに臨み平坦面をなす弁座面２ａと、
後端Ａに臨み平坦面をなす上面２ｂとを備えるゴム材料よりなる弁体２が、挿入孔２ｃをもって縮小径部１ａに軽圧縮状態で挿入配置され、
更に弁体２の上面２ｂ上には、縮小径部１ａに対してバカ孔３ａをもって自由状態で挿入される平板部材３が配置されるとともに前記平板部材の上面３ｂ上には、上方係止部１ｅに対して、上方係止部１ｅの傾斜面１ｄと同一形状をなす傾斜案内孔４ａをもってスライドワッシャー４を自由状態で配置したことを特徴とする電磁流体制御弁。
【請求項２】
前記弁体をゴム材料で形成し、前記平板部材を金属材料で形成し、前記スライドワッシャーを合成樹脂材料で形成したことを特徴とする請求項１記載の電磁流体制御弁。
【発明の詳細な説明】
【技術分野】
【０００１】
本発明は、筒状のコイルボビンの外周に電磁コイルが巻回されるとともにコイルボビンに固定鉄心が固定配置され、又固定鉄心に対向して可動鉄心が移動自在に配置され、可動鉄心の先端に配置された平板状の弁体が、弁本体に穿設される流路を、流入側流路と流出側流路とに区分する弁座に対向配置され、前記可動鉄心と同期的に移動する弁体が、弁座を開閉制御する電磁流体制御弁に関する。
そして、本発明になる電磁制御弁は、例えばスロットルボデーにおける絞り弁の上流側吸気路と下流側吸気路とを連絡するバイパスエア通路の開閉制御用、あるいは内燃機関の排気管内への２次空気の導入の為の２次空気通路の開閉制御用として用いられる。
【背景技術】
【０００２】
従来、一般的に用いられる電磁流体制御弁は図５に示される。図５により説明すると、電磁装置Ｓは以下によって形成される。１０は、円筒状の筒部１０ａの後端Ａ側に上方鍔部１０ｂが形成され、先端Ｂ側に下方鍔部１０ｃが形成されるコイルボビンであり、コイルボビン１０の筒部１０ａの外周には電磁コイル１２が巻き回される。尚、以下の説明において後端Ａとは図において上方をいうもので、先端Ｂとは図において下方をいうものである。コイルボビン１０の筒部１０ａの先端Ｂ側には固定鉄心１３が固定配置されるもので、固定鉄心１３の後端Ａ側は筒部１０ａ内に挿入配置され、固定鉄心１３の先端側は筒部１０ａより先端Ｂ側へ突出するとともに外側方に拡大する鍔部１３ａが形成される。１４は、コイルボビン１０の筒部１０ａ内に移動自在に配置されるとともに固定鉄心１３の後端面１３ｂに対向配置される可動鉄心であり、可動鉄心１４の先端部１４ａは、固定鉄心１３の中心を通って鍔部１３ａより先端Ｂ側へ突出して配置される。又、１５は固定鉄心１３の鍔部１３ａの後端面上に配置される先端側磁極片であり、この先端側磁極片１５は、Ｔ状に折曲げ形成された接続磁極片１６に磁気結合される。又前記電磁コイルの巻き始め線及び巻き終り線（図示せず）はカプラ１７内に突出する２本の端子１７ａ、１７ｂにそれぞれ電気接続され、かかる端子１７ａ、１７ｂを介して電磁コイル１２に通電される。以上の構成よりなる電磁装置Ｓによれば、端子１７ａ、１７ｂを介して電磁コイル１２に電気が供給されると、可動鉄心１４と固定鉄心１３との間に電磁吸引力が生起し、可動鉄心１４は固定鉄心１３に吸引され、先端部１４ａを含む可動鉄心１４は図５において先端Ｂ側に移動する。
【０００３】
そして、前記電磁装置は、弁本体１８にネジ等によって螺着配置されるものであり、可動鉄心１４の先端部１４ａには、弁本体１８に穿設される流路を流入側流路１９ａと流出側流路１９ｂとに区分する弁座１９ｃに臨む弁体２０が配置される。弁体２０は、可動鉄心１４の先端部１４ａに図６に示される如く配置される。まず可動鉄心１４の先端部１４ａには、以下が形成される。１４ｂは縮小径部であって、縮小径部１４ｂの先端Ｂ側には、側方に向かう平坦面１４ｃをなす下方係止部１４ｄが形成され、縮小径部１４ｂの後端Ａ側には側方に向かう平坦面１４ｅをなす第１上方係止部１４ｆが形成される。又、第１上方係止部１４ｆより更に後端Ａ側には第１上方係止部１４ｆの直径より大なる直径を有し、側方に向かう平坦面１４ｇをなす第２上方係止部１４ｈが形成される。いいかえると、縮小径部１４ｂは下方係止部１４ｄと第１上方係止部１４ｆとの間に形成され、下方係止部１４ｄの平坦面１４ｃは後端Ａ側に臨む環状平面を有し、第１上方係止部１４ｆの平坦面１４ｅ、第２上方係止部１４ｈの平坦面１４ｇは先端Ｂ側に臨む環状平面を有する。弁体２０は、平板状のゴム材料によって形成され、中心部に挿入孔２０ａが貫通して形成され、先端Ｂ側には平坦面をなす弁座面２０ｂが形成され、後端Ａ側には平坦面をなす上面２０ｃが形成される。尚、挿入孔２０ａの孔径は、縮小径部１４ｂの直径と同径かもしくは少し小径であることが望ましい。２１は、金属材料によって形成される平板部材であり、その中心には、第１上方係止部１４ｆの直径より大径で且つ第２係止部１４ｈの直径より小径をなすバカ孔２１ａが穿設され、更にその板厚は第１上方係止部１４ｆの高さより小さく形成される。
【０００４】
そして可動鉄心１４の先端部１４ａに弁体２０が以下によって組付けられる。まず、可動鉄心１４の先端から後端Ａ側に向けて平板部材２１のバカ孔２１ａが挿入配置され、次いでゴム材料によって形成された弁体２０の、挿入孔２０ａが、側方に引張られてその直径が拡開され、この状態で挿入孔２０ａが縮小径部１４ｂに嵌着される。以上によると挿入孔２０ａは縮小径部１４ｂに対して軽圧縮状態で挿入配置され、弁体２０の弁座面２０ｂの中心部が下方係止部１４ｄの平坦面１４ｃに当接配置されるとともに上面２０ｃの中心部が第１上方係止部１４ｆの平坦面１４ｅに当接配置される。一方、平板部材２１は、バカ孔２１ａが第１上方係止部１４ｆの外周に臨んで配置されるとともに平板部材２１は、弁体２０の上面２０ｃと第２上方係止部１４ｈの平坦面１４ｇとの間に配置される。尚、２２は可動鉄心１４を固定鉄心１３の後端面１３ｂより離反するよう付勢するスプリングである。（スプリング２２は図５に示される）
【０００５】
以上をもって電磁流体制御弁が形成されるもので、図５において、電磁コイル１２の非通電状態において、固定鉄心１３と可動鉄心１４との間に電磁吸引力が生起しないので、可動鉄心１４はスプリング２２のバネ力によって後端Ａ側に付勢され、弁体２０は弁座１９ｃを開放保持し、流入側流路１９ａと流出側流路１９ｂとが連通される。一方、端子１７ａ、１７ｂより電磁コイル１２に向けて通電されると、固定鉄心１３と可動鉄心１４との間に磁気吸引力が生起し、可動鉄心１４はスプリング２２のバネ力に抗して固定鉄心１４に吸引されて先端Ｂ側へ移動し、これによって弁体２０の弁座面２０ｂが弁座１９ｃに当接して、流入側流路１９ａと流出側流路１９ｂとを遮断することができる。
【発明の開示】
【発明が解決しようとする課題】
【０００６】
かかる従来の電磁流体制御弁によると、弁本体１８に形成された弁座１９ｃに直交する弁座１９ｃの長手軸心線Ｘ−Ｘと、可動鉄心１４の長手軸心線Ｙ−Ｙとが同芯に配置されず、図６に示されるごとく相対的に交差角Ｚをもって配置された場合、弁体２０の弁座面２０ｂによる弁座１９ｃの良好な閉塞を得られない。
【０００７】
これは以下の理由による。図７、図８を用いて詳細に説明する。図７は、弁体２０の弁座面２０ｂが弁座１９ｃに対して初期の当接状態を示すもので、図７において弁座面２０ｂの左方端面２０ｂ１が弁座１９ｃの左方端部１９ｃ１に当接するも、弁座面２０ｂの右方端面２０ｂ２と弁座１９ｃの右方端部１９ｃ２との間には交差角Ｚに相当する間隙Ｗが存在する。そして、前記弁座面２０ｂの右方端面２０ｂ２を弁座１９ｃの右方端部１９ｃ２に当接させる為には、可動鉄心１４を更に先端Ｂ側へ移動させるものであるが、このとき可動鉄心１４の先端Ｂ側への押圧力は、可動鉄心１４の長手軸心方向Ｙ−Ｙにおいて、第２上方係止部１４ｈの平坦面１４ｇから平板部材２１の後端面に加えられ、更に平板部材２１の先端面が弁体２０の上面２０ｃを押圧し、弁体２０の左方端面２０ｂ１を図８の二点鎖線に示す如く大きく圧縮変形させることにより弁座面２０ｂの右方端面２０ｂ２をはじめて弁座１９ｃの右方端面１９ｃ２に当接し、もって弁体２０の弁座面２０ｂによって弁座１９ｃを閉塞することができるものである。
【０００８】
以上によると、弁座面２０ｂの左方端面２０ｂ１を図８の二点鎖線に示す如く大きく圧縮変形する為の強い磁気吸引力を可動鉄心１４に付与する必要があり、これによると電磁コイル１２の巻き数を増加したり、あるいは電磁コイル１２への供給電流を増加する必要があり、電磁装置の大型化、消費電流の増加につながり好ましいものでない。
又、弁座面２０ｂの左方端面２０ｂ１が強い押圧力をもって大きく圧縮変形され、これが長期間に渡って行なわれることによると、弁座面２０ｂの左方端面２０ｂ１の摩耗が、弁座面２０ｂの右方端面２０ｂ２より早期に進行する恐れがあり、良好な閉塞を長期間に渡って得られない恐れがあり、弁体２０の交換時期を早める必要がある。
【０００９】
本発明は前記課題に鑑み成されたもので、電磁コイル、消費電流を大きく増加させることがなく、長期間に渡って、安定して弁座を開閉制御することのできる電磁流体制御弁を提供することを目的とするものである。
【課題を解決するための手段】
【００１０】
本発明になる電磁流体制御弁は前記目的達成の為に、周囲に電磁コイルが巻回されたコイルボビンの内方に、固定鉄心と、固定鉄心に対向する可動鉄心が配置され、可動鉄心の先端に配置される平板状の弁体が、弁本体に穿設される流路を、流入側流路と流出側流路とに区分する弁座に対向配置される電磁流体制御弁において、可動鉄心の先端部に、後端に臨み、平坦面をなす下方係止部と、先端に臨み、傾斜面をなす上方係止部とを備える縮小径部を形成し、前記縮小径部には、下方係止部に臨み平坦面をなす弁座面と、後端に臨み平坦面をなす上面とを備えるゴム材料よりなる弁体が、挿入孔をもって縮小径部に軽圧縮状態で挿入配置され、更に弁体の上面上には、縮小径部に対してバカ孔をもって自由状態で挿入される平板部材が配置されるとともに前記平板部材の上面上には、上方係止部に対して、上方係止部の傾斜面と同一形状をなす傾斜案内孔をもってスライドワッシャーを自由状態で配置したことを第１の特徴とする。
【００１１】
又、本発明は、前記第１の特徴に加え、前記弁体をゴム材料で形成し、前記平板部材を金属材料で形成し、前記スライドワッシャーを合成樹脂材料で形成したことを第２の特徴とする。
【発明の効果】
【００１２】
本発明の電磁流体制御弁の第１の特徴によると、弁本体に形成された弁座に直交する弁座の長手軸心線Ｘ−Ｘと、可動鉄心の長手軸心線Ｙ−Ｙとが相対的に交差角Ｚをもって配置された場合、弁体の弁座面が弁座に対して初期の当接状態において、弁座面の左方端面が弁座の左方端部に当接し、弁座面の右方端面と弁座の右方端部との間に交差角Ｚに相当する間隙Ｗが存在する。然しながら可動鉄心が更に先端側へ吸引されて移動すると、可動鉄心の上方係止部の傾斜面がスライドワッシャーの傾斜案内孔に当接して、スライドワッシャーを平板部材の上面上に沿って側方へ移動し、可動鉄心の先端側への押圧力が可動鉄心の上方係止部の傾斜面からスライドワッシャーの傾斜案内孔を介してスライドワッシャー、平板部材、弁体の上面に加えられる。以上によると、間隙Ｗを形成する弁座面の右方端面は、上方係止部の傾斜面及びスライドワッシャーの傾斜案内孔によって弁座の右方端部に近接するよう可動鉄心の長手軸心線Ｙ−Ｙとは異なった回転力が付与されるもので、これによって弁体の弁座面は確実に弁座に当接される。
従って、従来の電磁流体制御弁の如く、弁体の弁座面の一部を大きく圧縮変形させることがないので、可動鉄心に対して大なる磁気吸引力を付与する必要がなく、もって電磁コイルの大型化、及び消費電流を増加することなく、確実に弁体により弁座を閉塞制御できたものである。又弁体の弁座面の大なる圧縮変形がなくなったことにより弁座面の局部的な摩耗がなく、長期間に渡って安定した弁体の閉塞性を維持でき、メンテナンス期間を長くすることができる。
【００１３】
又、本発明の第２の特徴によると、弁体の上面と平板部材とはゴム材料と金属材料とにより大なる摩耗抵抗をもって保持され、合成樹脂材料で形成されたスライドワッシャーは、低い摩耗抵抗をもって平板部材上を極めて円滑に側方移動ができるもので、これによると、上方係止部の傾斜面とスライドワッシャーの傾斜案内孔を確実に当接することができて、上方係止部の傾斜面からスライドワッシャーの傾斜案内孔へ可動鉄心の押圧力（磁気吸引力）を確実に付与することができ、弁体による弁座の閉塞性をより向上できる。
【発明を実施するための最良の形態】
【００１４】
以下、本発明になる電磁制御弁の一実施例について説明する。
尚、本発明の電磁流体制御弁と図５に示される従来の電磁制御弁とは、可動鉄心の先端部の形状及び弁体部分が異なるもので同一構造部分は同一符号を使用して説明を省略する。
図１には本発明の電磁流体制御弁の弁体部分を含む可動鉄心の先端部の拡大図が示される。尚、本発明における可動鉄心は可動鉄心１とする。可動鉄心１の先端部１ｘは以下によって形成される。１ａは、縮小径部であり、縮小径部１ａの先端Ｂ側には平坦面１ｂを有する下方係止部１ｃが形成され、縮小径部１ａの後端Ａ側には、傾斜面１ｄを有する上方係止部１ｅが形成される。前記下方係止部の平坦面１ｂは、後端Ａ側に向かう環状平面として形成される。又、上方係止部１ｅの傾斜面１ｂは、その直径が後端Ａに向かうにつれて（高さ方向において）順次増加する傾斜面であって、円錐状、球面状に形成され、この傾斜面１ｂは先端Ｂ側に向けて形成される。すなわち、縮小径部１ａの先端Ｂ側に平坦面１ｂをなす下方係止部１ｃが形成され、縮小径部１ａの後端Ａ側に傾斜面１ｄをなす上方係止部１ｅが形成される。２はゴム材料によって形成され、平板状をなす弁体であり、弁体２には、その先端Ｂ側に平坦面をなす弁座面２ａが形成され、その後端Ａ側に平坦面をなす上面２ｂが形成され、さらに弁体２の中心部には、縮小径部１ａに対して軽圧縮状態で挿入される挿入孔２ｃが貫通して穿設される。３は弁体２の上面２ｂ上に配置される平板部材であり、その中心部には縮小径部１ａの直径より大径をなすバカ孔３ａが穿設される。尚、前記バカ孔の直径は上方係止部１ｅの直径より小径に形成される。４は平板部材３の上面３ｂ上に配置される平板状をなすスライドワッシャーであり、その中心部には、上方係止部１ｅの傾斜面１ｄに臨むとともに傾斜面１ｄと同一形状をなす傾斜案内孔４ａが穿設される。
【００１５】
そして、可動鉄心１の先端部１ｘから後端Ａ側に向け、スライドワッシャー４の傾斜案内孔４ａが上方係止部１ｅに向けて挿入され、次いで平板部材３のバカ孔３ａがスライドワッシャー４に向けて挿入され、次いで弁体２の挿入孔２ｃが側方に拡開されて縮小径部１ａの外周に軽圧縮状態で挿入配置される。以上によると、弁体２は縮小径部１ａに対して軽圧縮状態で装着され、弁座面２ａが可動鉄心１の下方係止部１ｃの平坦面１ｂ上に配置される。すなわち弁座面２ａは先端Ｂ側に臨んで配置される。又、平板部材３は、バカ孔３ａを介して縮小径部１ａの外周に間隙をもって配置されるとともに弁体２の上面２ｂ上に配置される。又、スライドワッシャー４は、その傾斜案内孔４ａが可動鉄心１の上方係止部１ｅの傾斜面１ｄに臨んで配置されるとともに平板部材３の上面３ｂ上に配置される。すなわち、可動鉄心１の下方係止部１ｃの平坦面１ｂと上方係止部１ｅの傾斜面１ｄとの間に、先端Ｂ側から後端Ａ側に向けて弁体２、平板部材３、スライドワッシャー４が積層して配置される。
【００１６】
以上によると、電磁コイル１２に通電されて、固定鉄心１８と可動鉄心１との間に磁気吸引力が生起すると、可動鉄心１は固定鉄心１３に吸引されて先端Ｂ側へ移動するもので、これによると、スライドワッシャー４、平坦部材３を含む弁体２は、可動鉄心１と同期的に先端Ｂ側へ移動するもので弁体２の弁座面２ａが弁座１９ｃに当接し、もって流入側流路１９ａと流出側流路１９ｂとを遮断することができる。
【００１７】
ここで、本発明になる電磁流体制御弁によると、弁本体１３に形成された弁座１９ｃに直交する弁座１９ｃの長手軸心線Ｘ−Ｘと、可動鉄心１の長手軸心線Ｙ−Ｙとが同芯に配置されず、図２に示されるごとく相対的に交差角Ｚをもって配置された場合にあっても、弁体２０の弁座面２０ｂにより弁座１９ｃを良好に閉塞できる。
【００１８】
これは以下の理由による。図２は、弁座１９ｃの長手軸心線Ｘ−Ｘと可動鉄心１の長手軸心線Ｙ−Ｙとが相対的に交差角Ｚをもって配置され、弁体２の弁座面２ａが弁座１９ｃを開放した状態であり、弁体２の弁座面２ａが弁座１９ｃに対して傾斜配置されても弁座１９ｃは開放保持される。
【００１９】
次に弁体２による弁座１９ｃの閉塞行程について説明すると、図３は、弁体２による弁座１９ｃの閉塞初期行程を示すもので、電磁コイル１２に向けて端子１７ａ、１７ｂより通電される。以上によると、固定鉄心１３と可動鉄心１との間に磁気吸引力が生起し、可動鉄心１はスプリング２２のバネ力に抗して先端Ｂ側へ移動し、かかる閉塞初期行程において、弁体２の弁座面２ａの図３における左方端面２ａ１がまず弁座１９ｃの左方端部１９ｃ１に当接する。かかる状態において、弁座面２ａの右方端面２ａ２と弁座１９ｃの右方端部１９ｃ２との間には、前記交差角Ｚに相当する間隙Ｗが存在する。
【００２０】
そして、弁体２を含む可動鉄心１は、前記磁気吸引力によって更に継続して先端Ｂ側へ押圧されるものであり、これによると、スライドワッシャー４の傾斜案内孔４ａの左側面４ａ１は、可動鉄心１の上方係止部１ｅの傾斜面１ｄの左側面１ｄ１に当接し、スライドワッシャー４は、図４において、平板部材３の上面３ｂ上を左方へ移動するものである。
上記によれば、傾斜面１ｄの左側面１ｄ１が傾斜案内孔４ａの左側面４ａ１に当接し、傾斜面１ｄの右側面１ｄ２が傾斜案内孔４ａの右側面４ａ２に当接し、スライドワッシャー４の傾斜案内孔４ａは、可動鉄心１の上方係止部１ｅの傾斜面１ｄに確実に当接されるものであり、これによると、可動鉄心１の長手軸心線Ｘ−Ｘに沿う押圧力Ｐは、上方係止部１ｅの傾斜面１ｄの右側面１ｄ２からスライドワッシャー４の傾斜案内孔４ａの右側面４ａ２に向けて分力Ｐ１を作用させることができる。これによると、弁体２の右方端面２ａ２は、弁座１９ｃの右方端部１９ｃ２に向けて弾性的に変形し、弁体２の右方端面２ａ２が弁座１９ｃの右方端部１９ｃ２に当接され、もって、弁体２の弁座面２ａ全体が弁座１９ｃに当接され、弁座１９ｃを弁座面２ａによって確実に閉塞できる。かかる弁体２による閉塞終期行程が図４に示される。
【００２１】
以上の如く、本発明の電磁流体制御弁によると、可動鉄心に設けた上方係止部の傾斜面に臨んでスライドワッシャーの傾斜案内孔を配置し、可動鉄心の長手軸心線Ｙ−Ｙに沿う先端Ｂ側への押圧力Ｐを、スライドワッシャー、平板部材を介して弁体の上面に分力Ｐ１として加えることができたので、可動鉄心の長手軸心線Ｙ−Ｙと、弁座の長手軸心線Ｘ−Ｘとが交差角Ｚをもって配置された場合にあっても電磁コイルの磁気吸引力を増加させることなく、確実に弁体によって弁座を閉塞することができる。従って、電磁コイルの大型化、電磁コイルへの消費電流の増加を抑止できたもので、特に自動車、二輪車において、その収納スペース、許容電流の制限されるものにおいて有効である。又、弁体による弁座の閉塞初期において、前記交差角に応じて、弁体の弁座面の一部の端面と、弁座の一部の端部との間に間隙Ｗが形成されるも、スライドワッシャー、平板部材によってその間隙Ｗが存在する側の弁体に対して可動鉄心の押圧力Ｐの分力Ｐ１を加え、ゴム材料によって形成される弁体を弾性的に曲げ変形させたので、従来の如く弁体の弁座面の一部を局所的に大きく圧縮変形させることがないので、弁座面の一部が異常に摩耗することがなく、弁座面を長期に渡って良好に維持することができ、長期に渡って閉塞性のすぐれた電磁流体制御弁を提供できる。
【００２２】
更に、弁体をゴム材料で形成し、平板部材を金属材料にて形成し、スライドワッシャーを６−６ナイロン等の合成樹脂材料によって形成すると、弁体の上面と平板部材の下面との摩耗抵抗を大とすることができるとともに平板部材とスライドワッシャーとの摩耗抵抗を小さくすることができ、これによると、可動鉄心の上方係止部の傾斜面にスライドワッシャーの傾斜案内孔を極めて円滑に従動することができてスライドワッシャーの平板部材上における側方移動を即座に行なうことができ、可動鉄心の押圧力Ｐをスライドワッシャーを介して平板部材、弁体に確実に加えることができ、弁体の弁座に対する閉塞性を一層向上することができる。
【図面の簡単な説明】
【００２３】
【図１】本発明の電磁流体制御弁の弁体を含む可動鉄心、弁座部分を示す要部拡大縦断面図。
【図２】図１における可動鉄心の長手軸心線Ｙ−Ｙと弁座の長手軸心線Ｘ−Ｘとが交差角Ｚをもって配置され、且つ弁座の開放状態を示す要部拡大図。
【図３】図２における弁体が弁座を閉塞した閉塞初期行程における要部拡大図。
【図４】図２における弁体が弁座を閉塞した閉塞終期行程における要部拡大図。
【図５】従来の電磁流体制御弁を示す要部縦断面図。
【図６】図５の弁体を含む可動鉄心と弁座部分を示す要部拡大図であって可動鉄心の長手軸心線Ｙ−Ｙと弁座の長手軸心線Ｘ−Ｘとが交差角Ｚをもって配置され、且つ弁座の開放状態を示す要部拡大図。
【図７】図６における弁体が弁座を閉塞した閉塞初期行程における要部拡大図。
【図８】図６における弁体が弁座を閉塞した閉塞終期行程における要部拡大図。
【符号の説明】
【００２４】
１      可動鉄心
１ａ    縮小径部
１ｂ    平坦面
１ｃ    下方係止部
１ｄ    傾斜面
１ｅ    上方係止部
２      弁体
２ａ    弁座面
２ｂ    上面
２ｃ    挿入孔
３      平板部材
３ａ    バカ孔
３ｂ    上面
４      スライドワッシャー
４ａ    傾斜案内孔
【図１】
2007315554.tif 000003
【図２】
2007315554.tif 000004
【図３】
2007315554.tif 000005
【図４】
2007315554.tif 000006
【図５】
2007315554.tif 000007
【図６】
2007315554.tif 000008
【図７】
2007315554.tif 000009
【図８】
2007315554.tif 000010